(57)【要約】【課題】  プリント装置の画像表示において、外部表示器及びリモコン表示部に画像を表示することで視認性が向上し、更にリモコンの着脱状態により表示切り換えすることで操作性が向上するようにしたプリント装置を提供することを目的とする。【解決手段】  プリント装置１０００は、プリンタ本体１００とリモコンユニット２００からなり、両者は無線での双方向通信が可能である。プリンタ本体１００は、外部表示器４００に表示するためのケーブル接続部１０９とリモコンユニット２００を着脱可能にするリモコン搭載部１０６とプリンタ本体１００とリモコンユニット２００の装着の有無を検知する手段を備え、リモコンユニット２００は、画像を表示するリモコン表示部２０１と指示を入力する操作部２１０を備え、リモコンユニット２００とプリンタ本体１００の着脱状態によって表示デバイスを外部表示器４００又はリモコン表示部２０１に切り替えることができる。【選択図】  図１
2007118534.tif 000002
【特許請求の範囲】
【請求項１】
入力される画像データに基づいて印刷処理を行なうプリンタ本体と、前記プリンタ本体を操作するリモコンユニットから成るプリント装置であって、
前記プリンタ本体は、前記リモコンユニットと信号を送受信するプリンタ側送受信部と、画像データを記録する記録媒体を挿脱する挿脱部と、画像データを表示するための外部表示器と双方向通信可能な接続ケーブルを接続できる接続端子と、前記リモコンユニットを着脱可能にするリモコン搭載部と、前記リモコンユニット部を装着した際に電気的及び機械的に接続されるプリンタ側接続部とを備え、
前記リモコンユニットは、前記プリンタ側送受信部と信号を送受信するリモコン側送受信部と、前記プリンタ側送受信部から送信された画像を表示するリモコン表示部と、前記プリンタ本体への指示を入力する操作部と、前記プリンタ側接続部に装着した際に電気的及び機械的に接続されるリモコン側接続部とを備え、
前記プリンタ側接続部と前記リモコン側接続部の電気的及び機械的な接続状態から前記プリンタ本体と前記リモコンユニットの装着の有無を検知する手段と、
前記外部表示器との接続状態を検知する手段と、
接続された前記外部表示器の状態を検知する手段とを備え、
前記リモコンユニットと前記プリンタ本体の着脱状態及び前記外部表示器との接続状態と前記外部表示器の状態に基づいて表示デバイスを前記外部表示器又は前記リモコン表示部に切り替える手段とを備えていることを特徴とするプリント装置。
【発明の詳細な説明】
【技術分野】
【０００１】
本発明は、プリント装置に係わり、特に、デジタルカメラ等で撮影された入力画像データに基づいて画像をプリントし得るリモートコントロール操作可能なプリント装置に関する。
【背景技術】
【０００２】
近年のプリント装置には、デジタルカメラ等で撮影して記録媒体に保存された画像データをプリントするのに、パソコン等の処理機器を必要とすることなくプリントできるものがある。
【０００３】
従来のプリント装置には、処理機器を利用せずに、遠隔操作可能なリモートコントロール装置(以下、リモコンと称す)と、画像データを視認するための表示装置をリモコンに施したものがある(例えば、特許文献1参照)。
【０００４】
この開示されているプリント装置は、印刷機構等から成るプリンタ本体と、遠隔操作で印刷指令等を行なう操作部からなるリモコンとによって構成したものであって、リモコンから送信された画像データ等をプリンタ本体によって受信し、この受信された画像データ等に基づいてプリンタ本体は、所定の印刷動作を行なう。また、このリモコンに表示装置を備え、この表示装置に画像の表示動作を行なうようにしている。これによれば、リモコンに備えられた表示装置に画像を表示することで、印刷画像を確認し、印刷動作を開始させることができる。
【０００５】
【特許文献１】特開２０００−２３８３６８号公報
【発明の開示】
【発明が解決しようとする課題】
【０００６】
しかしながら、特許文献1のように、リモコンに表示装置を備えたプリント装置の場合、リモコンの表示装置の画面は小型であるため、表示画像が視認しづらく、さらに多人数での視認が困難で操作者しか視認できないという欠点がある。
【課題を解決するための手段】
【０００７】
上記課題を解決するために、入力される画像データに基づいて印刷処理を行なうプリンタ本体と、前記プリンタ本体を操作するリモコンユニットから成るプリント装置であって、前記プリンタ本体は、前記リモコンユニットと信号を送受信するプリンタ側送受信部と、画像データを記録する記録媒体を挿脱する挿脱部と、画像データを表示するための外部表示器と双方向通信可能な接続ケーブルを接続できる接続端子と、前記リモコンユニットを着脱可能にするリモコン搭載部と、前記リモコンユニット部を装着した際に電気的及び機械的に接続されるプリンタ側接続部とを備え、前記リモコンユニットは、前記プリンタ側送受信部と信号を送受信するリモコン側送受信部と、前記プリンタ側送受信部から送信された画像を表示するリモコン表示部と、前記プリンタ本体への指示を入力する操作部と、前記プリンタ側接続部に装着した際に電気的及び機械的に接続されるリモコン側接続部とを備え、前記プリンタ側接続部と前記リモコン側接続部の電気的及び機械的な接続状態から前記プリンタ本体と前記リモコンユニットの装着の有無を検知する手段と、前記外部表示器との接続状態を検知する手段と、接続された前記外部表示器の状態を検知する手段とを備え、前記リモコンユニットと前記プリンタ本体の着脱状態及び前記外部表示器との接続状態と前記外部表示器の状態に基づいて表示デバイスを前記外部表示器又は前記リモコン表示部に切り替える手段とを備えていることを特徴とする。
【発明の効果】
【０００８】
この発明によれば、外部表示器に画像を表示するので視認性が向上し、さらにリモコンの着脱状態により表示器を変更するので操作性が向上することができる。
【発明を実施するための最良の形態】
【０００９】
以下、図面を参照して、この発明の実施の形態について説明する。説明は実施例を用いて具体的に行なう。図１は本発明の実施の形態に係わるプリント装置の外観図である。このプリント装置１０００は、同図に示すように、プリンタ本体１００とリモコンユニット２００とからなり、両者は電波や赤外線等の無線通信手段によって双方向通信が可能となっている。プリンタ本体１００とリモコンユニット２００の着脱状態に基づき、画像データ並びに各種設定・選択操作に必要なメニュー画面を表示するデバイスが切替わるプリント装置である。
【００１０】
プリンタ本体１００は、記録用紙１０３を給紙する給紙部１０１と、記録用紙を排紙する排紙部１０２と、画像データを記録するメモリカード１０５を挿脱するメモリカードスロット部１０４と、リモコンユニット２００を着脱可能にするリモコン搭載部１０６と、リモコンユニット２００と無線通信するためのプリンタ側送受信部１０７と、リモコンユニット２００を装着した際に電気的及び機械的に接続されるプリンタ側接続部１０８と、接続ケーブル３００を介して外部表示器４００と接続する外部表示デバイス接続部１０９から構成される。接続ケーブル３００はＵＳＢ等の双方向通信可能なケーブルであり、プリンタ本体１００並びに外部表示器４００間で通信が可能なケーブルである。外部表示器４００は接続ケーブル３００を接続可能な端子を備える外部表示器である。
【００１１】
リモコンユニット２００は、リモコン搭載部１０６に装着脱可能にしており、プリンタ送受信部１０７から無線通信で送信された画像データ並びにメニュー画面を表示するリモコン表示部２０１と、リモコンユニット２００並びにプリンタ本体１００へ指令を出す操作部２１０から構成される。
【００１２】
リモコンユニット２００の後面の図を示す図２は、プリンタ側送受信部１０７と無線通信するためのリモコン側送受信部２０３と、プリンタ側接続部１０８と接続されるリモコン側接続部２０４を示している。
【００１３】
操作部２１０の拡大図を示す図５は、リモコンの着脱状態に基づき表示デバイスを切り替える表示デバイス自動設定と、着脱状態に関係無く表示デバイスを手動で切り替える表示デバイス手動設定の自動／手動の設定を変更する自動／手動ボタン２１１と、手動変更が設定されている際に表示するデバイスを選択するデバイス選択ボタン２１２と、印刷ボタン２１３と、電源ボタン２１４と、画像やメニューを選択するボタン２１５を示している。
【００１４】
図４は本発明の実施の形態に係わるプリント装置のシステム構成を示すブロック図である。プリンタ本体１００のプリンタ制御部１２０は、プリンタ側接続部１０８と、プリンタ側送受信部１０７と、外部表示デバイス接続部１０９と、記録紙に印刷を行う印刷部１３０と接続させた構成となっている。リモコンユニット２００の操作制御部２２０は、リモコン側接続部２０４と、リモコン表示部２０１と、リモコン側送受信部２０３と操作部２１０に接続された構成となっている。
【００１５】
次に、図１乃至図４を参照してプリント装置の動作について、表示デバイスを自動で変更する場合と、手動で変更する場合に分けて説明する。
【００１６】
まず、表示デバイス自動変更設定での使用について説明する。図1で示すようにプリンタ側接続部１０８にリモコン側接続部２０４が電気的及び機械的に接続されていなければ、外部表示デバイス接続部１０９から接続ケーブル３００を介して外部表示器４００に画像データを送信し、画像並びにメニュー画面を外部表示器４００に表示する。
【００１７】
次いで、操作部２１０を操作することによって決定された指令を外部表示器４００に表示すると共に、リモコン側送受信部２０３から指令を送信し、プリンタ側送受信部１０７で受信し、プリンタ制御部１２０に通信され、指令に応じた処理を行う。
【００１８】
図３で示すようにプリンタ側接続部１０８にリモコン側接続部２０４が電気的及び機械的に接続されていれば、プリンタ側接続部１０８から電気的に送信された画像データをリモコン側接続部２０４が受信し、画像並びにメニュー画面をリモコン表示部２０１に表示する。
【００１９】
次いで、操作部２１０を操作することによって決定された指令をリモコン表示部２０１に表示すると共に、リモコン側接続部２０４から指令を電気的に送信し、プリンタ側接続部１０８で受信し、プリンタ制御部１２０に通信され、指令に応じた処理を行う。なお、プリント装置１０００の表示デバイスの設定によっては、リモコンの着脱状態に関係無くリモコン表示部２０１と外部表示器４００の両方に画像並びにメニュー画面を表示可能とする。リモコンが装着されておらずリモコン表示部２０１に画像を表示する場合には、プリンタ側送受信部１０７からリモコン側送受信部２０３へ画像データを送信し、リモコン表示部２０１に画像並びにメニュー画面を表示する。
【００２０】
続いて、表示デバイス手動変更設定での使用について説明する。リモコン上の自動／手動ボタン２１１及び表示デバイス選択ボタン２１２を操作することで、リモコンユニット２００の着脱状態に関係無く、リモコン表示部２０１又は外部表示器４００への画像データ表示を手動で変更できる。
【００２１】
次に、図１乃至図５の構成を備えたプリント装置１０００において、画像データ表示先デバイスを決定する動作について、図５に示すフローチャートに基づいて説明する。
【００２２】
ステップＳ５０１は、本アルゴリズムの開始点である。
ステップＳ５０２では、リモコンの着脱状態によって画像並びにメニュー画面を表示するデバイスが自動に切替わる方法か、着脱状態に関係無く手動で切り替える方法かを判断する。自動切替えに設定されている場合はステップＳ５０３へ遷移し、手動切替えに設定されている場合はステップＳ５０９に遷移する。
【００２３】
ステップＳ５０３では、外部表示デバイス接続部１０９と外部表示器４００が接続ケーブル３００を介して接続されているか、且つ外部表示器４００が電源ＯＮされているか判断する。このとき、外部表示デバイス接続部１０９にケーブルが差し込まれているか否かを機械的に検知して接続状態を把握する。更に、ケーブルが接続されていれば、プリンタ本体１００と外部表示器４００が双方向で通信を行い、外部表示器４００の電源がＯＮであるか判断する。電源ＯＮ状態であればステップＳ５０４に遷移し、電源ＯＦＦ状態であればステップＳ５０６に遷移する。
【００２４】
ステップＳ５０４では、画像並びにメニュー画面を表示するデバイスが、リモコン表示部２０１と外部表示器４００の両方に表示するか否か判断する。両方に表示する場合はステップＳ５０８へ遷移し、どちらか一方に表示する場合はステップＳ５０５に遷移する。
【００２５】
ステップＳ５０５では、プリンタ側接続部１０８とリモコン側接続部２０４が電気的及び機械的に接続されているか判断する。接続されている場合はステップＳ５０６に遷移し、接続されていない場合はステップＳ５０７に遷移する。
【００２６】
ステップＳ５０６では、メモリカード１０５から読み取った画像データをプリンタ側接続部１０８からリモコン側接続部２０４に電気的に送信し、リモコン表示部２０１に画像並びにメニュー画面を表示する。
【００２７】
ステップＳ５０７では、メモリカード１０５から読み取った画像データを外部表示デバイス接続部１０９から接続ケーブル３００を介して外部表示器４００に送信し、外部表示器４００に画像並びにメニュー画面を表示する。
【００２８】
ステップＳ５０８では、ステップＳ５０７と同様に外部表示器４００に画像並びにメニュー画面を表示すると共に、画像データをプリンタ側送受信部１０７からリモコン側送受信部２０３に送信し、リモコン表示部２０１に画像並びにメニュー画面を表示する。
【００２９】
ステップＳ５０９では、画像を表示するデバイス選択ボタン２１２で選択して、表示対象のデバイスを決定する。
【００３０】
ステップＳ５１０では、ステップＳ５０９で決定された表示デバイスに応じて、ステップＳ５０６乃至ステップＳ５０８の方法で画像並びにメニュー画面を表示する。
ステップＳ５１１は、本アルゴリズムの終点である。
【図面の簡単な説明】
【００３１】
【図１】本発明の実施の形態に係るプリント装置（遠隔操作時）の斜視図である。
【図２】本発明の実施の形態に係るリモコンユニットの要部を示す図である。
【図３】本発明の実施の形態に係るプリント装置（リモコン装着時）の斜視図である。
【図４】本発明の実施の形態に係るプリント装置のシステム構成を示すブロック図である。
【図５】本発明の実施の形態に係るリモコンユニットの要部を示す図である。
【図６】本発明の実施の形態に係るプリント装置の動作手順を示すフローチャートである。
【符号の説明】
【００３２】
１００  プリンタ本体
１０５  メモリカード
１０６  リモコン搭載部
１０７  プリンタ側送受信部
１０８  プリンタ側接続部
１０９  外部表示デバイス接続部
２００  リモコンユニット
２０１  リモコン表示部
２０３  リモコン側送受信部
２０４  リモコン側接続部
２１０  操作部
２１１  自動／手動ボタン
２１２  デバイス選択ボタン
２２０  操作制御部
１０００  プリント装置
【図１】
2007118534.tif 000003
【図２】
2007118534.tif 000004
【図３】
2007118534.tif 000005
【図４】
2007118534.tif 000006
【図５】
2007118534.tif 000007
【図６】
2007118534.tif 000008